(57)【特許請求の範囲】
【請求項１】
雨水貯留槽と、前記雨水貯留槽内の雨水を取水するためのポンプと、一端が雨水貯留槽内の下部に位置し他端がポンプに接続された取水管とを備えた雨水貯留槽の取水構造であって、
前記取水管の一端は、側壁及び底壁が通水性を有しない容器状部材の内部に挿入されており、
前記容器状部材の上端が開口しており、前記上端が前記雨水貯留槽内に配設され、前記容器状部材の上部から内部に前記雨水貯留槽内の雨水を通水可能であり、
容器状部材の上部に、通水性を有し且つ雨水貯留槽内の雨水に含まれる異物を通過させない異物除去部材が設けられており、
異物除去部材の上端が、雨水貯留槽のオーバーフローラインよりも上に位置していること、
を特徴とする雨水貯留槽の取水構造。
【請求項２】
容器状部材が取水管に取付けられていることを特徴とする、請求項１に記載の雨水貯留槽の取水構造。
【請求項３】
容器状部材の上部開口又は異物除去部材の上部開口に、取水管を挿通する貫通孔を形成したキャップ部材が取付けられ、キャップ部材と取水管を一体化させることで容器状部材が取水管に取付けられていることを特徴とする、請求項１または請求項２に記載の雨水貯留槽の取水構造。
【請求項４】
取水管の途中に、水を注入するための注水口を備えていることを特徴とする、請求項１ないし請求項３のいずれかに記載の雨水貯留槽の取水構造。
【請求項５】
注水口が、雨水貯留槽の上部に設けられた点検口の内部に位置していることを特徴とする、請求項４に記載の雨水貯留槽の取水構造。
【請求項６】
雨水貯留槽と、前記雨水貯留槽内の雨水を取水するためのポンプと、一端が雨水貯留槽内の下部に位置し他端がポンプに接続された取水管とを備えた雨水貯留槽の取水構造であって、
前記取水管の一端は、側壁及び底壁が通水性を有しない容器状部材の内部に挿入されており、
前記容器状部材の上端が開口しており、前記上端が前記雨水貯留槽内に配設され、前記容器状部材の上部から内部に前記雨水貯留槽内の雨水を通水可能であり、
取水管の途中に、水を注入するための注水口を備えていること、
を特徴とする雨水貯留槽の取水構造。
【請求項７】
容器状部材の上部に、通水性を有し且つ雨水貯留槽内の雨水に含まれる異物を通過させない異物除去部材を設けたことを特徴とする、請求項６に記載の雨水貯留槽の取水構造。
【請求項８】
異物除去部材の上端が、雨水貯留槽のオーバーフローラインよりも上に位置していることを特徴とする、請求項７に記載の雨水貯留槽の取水構造。
【請求項９】
容器状部材が取水管に取付けられていることを特徴とする、請求項６ないし請求項８のいずれかに記載の雨水貯留槽の取水構造。
【請求項１０】
容器状部材の上部開口又は異物除去部材の上部開口に、取水管を挿通する貫通孔を形成したキャップ部材が取付けられ、キャップ部材と取水管を一体化させることで容器状部材が取水管に取付けられていることを特徴とする、請求項６ないし請求項９のいずれかに記載の雨水貯留槽の取水構造。
【請求項１１】
注水口が、雨水貯留槽の上部に設けられた点検口の内部に位置していることを特徴とする、請求項６ないし請求項１０のいずれかに記載の雨水貯留槽の取水構造。
【発明の詳細な説明】
【技術分野】
【０００１】
本発明は雨水貯留槽の取水構造に関し、更に詳しくは、取水管への異物の流入を防止できる雨水貯留槽の取水構造に関する。
【背景技術】
【０００２】
雨水貯留槽の取水構造として、地下に埋設された雨水貯留槽の上部に取水マスを接続し、取水マスの側壁を貫いて雨水貯留槽内に挿入した取水管の下端を雨水貯留槽の底面から所定の高さに位置させると共に、取水管の上端を地上の電動ポンプに接続したものが知られている（特許文献１）。
【先行技術文献】
【特許文献】
【０００３】
【特許文献１】特開２００７−７０８４０号公報
【発明の概要】
【発明が解決しようとする課題】
【０００４】
しかしながら、上記特許文献１に開示された雨水貯留槽の取水構造では、電動ポンプを作動させて雨水貯留槽内の雨水を取水管を通じて取水するとき、雨水貯留槽の底面に堆積している異物を取水管の下端開口から雨水と一緒に吸い上げてしまう虞れがあった。そのため、定期的に取水管や電動ポンプのメンテナンスを行わねばならないという煩わしさがあった。
【０００５】
ところで、取水管の一端（下端）を雨水貯留槽内の下部に位置させ、取水管の他端（上端）をポンプに接続した取水構造を有する雨水貯留槽を施工するときには、ポンプ機能をすぐに発動できるようにするために、取水管の一端（下端）から他端（上端）のポンプまで水を満たして、所謂、初期のポンプの立上げ（動作確認）を行う必要がある。ポンプを立上げるときは、雨水貯留槽内がまだ空の状態であるので、立上げのための水を雨水貯留槽内に注水することになるが、取水管の一端（下端）が水面下に埋没し、かつ、ポンプ立上げに必要な水を吸い上げた後でも取水管の一端（下端）が水面下に埋没する状態となるのには、かなり多量の水を雨水貯留槽内に注水する必要があるため、注水に時間がかかり、余計な費用もかかるという問題があった。
【０００６】
本発明は上記事情に鑑みてなされたもので、その解決しようとする主たる課題は、雨水貯留槽の底部に堆積している異物が取水管の下端開口から吸い上げられることを防止できる雨水貯留槽の取水構造を提供することにある。
そして、少量の注水で初期のポンプの立上げ（動作確認）を容易かつ経済的に行うことが可能な雨水貯留槽の取水構造を提供することも課題としている。
【課題を解決するための手段】
【０００７】
上記課題を解決するため、請求項１に係る発明は、雨水貯留槽と、雨水貯留槽内の雨水を取水するためのポンプと、一端が雨水貯留槽内の下部に位置し他端がポンプに接続された取水管とを備えた雨水貯留槽の取水構造であって、取水管の一端は、側壁及び底壁が通水性を有しない容器状部材の内部に挿入されていることを特徴とするものである。
【０００８】
そして、請求項２に係る発明は、請求項１に係る雨水貯留槽の取水構造において、容器状部材の上部に、通水性を有し且つ雨水貯留槽内の雨水に含まれる異物を通過させない異物除去部材を設けたことを特徴とするものであり、
請求項３に係る発明は、請求項２に係る雨水貯留槽の取水構造において、異物除去部材の上端が、雨水貯留槽のオーバーフローラインよりも上に位置していることを特徴とするものであり、
請求項４に係る発明は、請求項１ないし請求項３のずれかに係る雨水貯留槽の取水構造において、容器状部材が取水管に取付けられていることを特徴とするものであり、
請求項５に係る発明は、請求項１ないし請求項４のいずれかに係る雨水貯留槽の取水構造において、容器状部材の上部開口又は異物除去部材の上部開口に、取水管を挿通する貫通孔を形成したキャップ部材が取付けられ、キャップ部材と取水管を一体化させることで容器状部材が取水管に取付けられていることを特徴とするものであり、
請求項６に係る発明は、請求項１ないし請求項５のいずれかに係る雨水貯留槽の取水構造において、取水管の途中に、水を注水するための注水口を備えていることを特徴とするものであり、
請求項７に係る発明は、請求項６に係る雨水貯留槽の取水構造において、注水口が、雨水貯留槽の上部に設けられた点検口の内部に位置していることを特徴とするものである。
【発明の効果】
【０００９】
請求項１の発明では、取水管の一端を挿入する容器状部材の内部が、通水性を有しない側壁及び底壁によって周囲とは区画された空間を形成しており、雨水貯留槽内に流入した雨水に含まれる異物は容器状部材の周囲に堆積するので、取水管の一端開口から異物を雨水と共に吸い上げることを防止できる。従って、取水管やポンプのメンテナンスを行う必要性が大幅に減少する。
【００１０】
請求項２の発明では、容器状部材の上部に設けた異物除去部材によって、雨水に含まれる異物（雨水中に混入している異物）を容器状部材の内部に侵入させないで雨水のみを容器状部材の内部に流入させるので、異物の吸い上げを効果的に防止できる。
【００１１】
請求項３の発明では、雨水貯留槽内の雨水に含まれる異物（雨水中に混入している異物）が異物除去部材の上端開口から容器状部材の内部に侵入することもないので、異物の吸い上げをより確実に防止できる。
【００１２】
請求項４の発明では、容器状部材が取水管に取付けられており、容器状部材を雨水貯留槽の内部の適所に別途取付ける必要がないので、施工が容易になる。
特に、請求項５の発明のように、容器状部材の上部開口又は異物除去部材の上部開口に、取水管を挿通する貫通孔を形成したキャップ部材を取付け、キャップ部材と取水管を一体化させることで容器状部材を取水管に取付けると、容器状部材の取付けが容易になり、施工性が向上する。
【００１３】
請求項６の発明では、取水管の途中の注水口から水を取水管内に通水できるので、取水管などのメンテナンス性が向上する。また、この注水口から取水管に水を注水して容器状部材の内部に貯留すると、容器状部材の内部に貯留された少量の水で初期のポンプの立上げ（動作確認）を容易かつ経済的に行うことができる。
【００１４】
請求項７の発明では、注水口が、雨水貯留槽の上部に設けられた点検口の内部に位置しているので、点検口から容易に注水でき、注水作業性が向上する。
【図面の簡単な説明】
【００１５】
【図１】本発明の一実施形態に係る雨水貯留槽の取水構造の説明図である。
【図２】同取水構造の要部側面図である。
【図３】同取水構造の要部断面図である。
【図４】同取水構造の要部分解斜視図である。
【図５】図３の一部拡大断面図である。
【図６】注水口を備えた取水管の部分拡大断面図である。
【図７】容器状部材の他の例を示す斜視図である。
【図８】容器状部材の更に他の例を示す斜視図である。
【図９】容器状部材の更に他の例を示す斜視図である。
【図１０】容器状部材の更に他の例を示す斜視図である。
【図１１】容器状部材の更に他の例を示す斜視図である。
【発明を実施するための形態】
【００１６】
以下、図面に基づいて本発明に係る雨水貯留槽の取水構造を詳細に説明する。
【００１７】
図１は本発明の一実施形態に係る雨水貯留槽の取水構造の説明図、図２は同取水構造の要部側面図、図３は同取水構造の要部断面図、図４は同取水構造の要部分解斜視図、図５は図３の一部拡大断面図、図６は注水口を備えた取水管の部分拡大断面図、図７〜図１１は容器状部材の異なる例を示す斜視図である。
【００１８】
図１に示す雨水貯留槽の取水構造は、地下に構築された雨水貯留槽１と、雨水貯留槽１内の雨水を取水するために地上に設置されたポンプ２と、一端（以下、下端という）が雨水貯留槽１内の下部に位置し他端（以下、上端という）がポンプ２に接続された取水管３と、側壁及び底壁が通水性を有しない容器状部材４とを備え、取水管３の下端３ａが容器状部材４の内部に上方から挿入されたものである。
【００１９】
地下に構築された雨水貯留槽１は、図９に示すような穴の開いた正方形の水平盤１０ａと、この水平盤１０ａの中央部及び四隅部に設けられた複数本（５本）の脚１０ｂとを有する合成樹脂製の貯留槽用充填部材１０を使用し、図１に示すように、地下において、底板１１の上に充填部材１０を縦横方向に連結して敷き詰めると共に、充填部材１０の上下を交互に反転させながら高さ方向に多段に積み重ねて直方体状の雨水貯留構造体を形成し、その四側面と上面に側板１２と天板１３を取付けて、底板１１と側板１２と天板１３の外側から遮水シート１４で被覆したものである。
なお、雨水貯留槽は内部に雨水を貯留できるものであればよく、例えば、内部に貯留槽用充填部材１０が存在しない中空のタンク状の槽でもよい。
【００２０】
この雨水貯留槽１の片側には、雨水貯留槽１の天面から地表面まで立ち上がる流入口１５が設けられ、地表面に露出した流入口１５の上端開口には蓋１５ａが開閉可能に取付けられている。そして、この流入口１５の側面には、集めた雨水を流入させる流入管１５ｂが接続されている。
また、この雨水貯留槽１の反対側には、雨水貯留槽１の天面から地表面まで立ち上がる点検口１６が設けられ、地表面に露出した点検口１６の上端開口には蓋１６ａが開閉可能に取付けられている。
更に、この雨水貯留槽１の反対側の側面上部にはオーバーフロー管１７が接続され、オーバーフローラインＯＦＬを越える余剰の雨水がオーバーフロー管１７から流出するようになっている。
【００２１】
雨水貯留槽１内の雨水を取水するためのポンプ２は、電動ポンプでも手動ポンプでもよい。この実施形態ではポンプ２を地上に設置しているが、点検口１６の内部などに設置してもよい。このように、ポンプ２の設置箇所は、地上からポンプ２の操作やメンテナンスを容易に行えるように、地上又は地表面付近とすることが好ましい。
【００２２】
取水管３としては、塩化ビニル管（好ましくはＶＵ管）や鋼管などが使用される。この取水管３は、図１に示すように、下端３ａが雨水貯留槽１内の下部（点検口１６の鉛直下方の槽底近傍箇所）に位置し、下端３ａから鉛直上方に立ち上がって点検口１６の内部で側方（水平方向）に屈曲し、点検口１６の側面を貫いて更に上方及び側方に屈曲して、取水管３の上端がポンプ２に接続されている。取水管３を上記のように屈曲させて配管施工するときは、予め点検口１６の側面に貫通孔を形成し、この貫通孔に取水管３を挿通して、貫通孔と取水管３の隙間をパッキンやシール材で止水処理することが好ましい。
【００２３】
取水管３の下端３ａが挿入される容器状部材４は、通水性を有しない側壁と底壁を備えた上端が開口している部材であり、側壁によって、雨水貯留槽１内の雨水に混入している異物が容器状部材４の底部に堆積するのを防止し、異物が取水管３の下端開口から吸い上げられるのを防止するものである。容器状部材４は、たとえ側壁や底壁に孔等があいていても、遮水シート等で覆われて実質的に通水性を有しないものであれば使用可能である。
【００２４】
この実施形態における容器状部材４は、図１〜図４に示すように、取水管３の外径よりも遥かに大きい内径を有する非通水性の合成樹脂製のキャップ４ａ（好ましくは塩化ビニル樹脂製のＶＵキャップ）を上下反転させ、このキャップ４ａの内径と同一の外径を有する非通水性の合成樹脂製の立管４ｂ（好ましくは塩化ビニル樹脂製のＶＵ管）の下端部をキャップ４ａの上端開口から差込んで水密的に接着一体化したものである。このようにキャップ４ａと立管４ｂを一体化した容器状部材４を使用するのは、立管４ｂによって容器状部材４の深さを調節し、初期のポンプ２の立上げ（動作確認）に必要な量の水を容器状部材４内に確実に貯留できるようにするためである。
なお、容器状部材はこの実施形態のものに限定されず、図７〜図１１に示すような種々の容器状部材も使用可能である。これらについては、後で詳しく説明する。
【００２５】
容器状部材４を設ける位置は、雨水貯留槽１の流入口１５から離れていることが好ましい。流入口１５に近い位置に容器状部材４を設けると、雨水が容器状部材４の上部開口から流入し、雨水に含まれている異物が容器状部材４の内部に堆積して取水管３の下端開口から吸い上げられる虞れがあるからである。そこで、この実施形態では、直方体状の雨水貯留槽１の一端側の天面に流入口１５を設けると共に、他端側の天面に点検口１６を設け、この点検口１６の鉛直下方の槽底（底板１１の上面）に容器状部材４を載置することで、容器状部材４の位置を流入口１５から大きく離し、取水管３の下端３ａを容器状部材４に挿入している。なお、容器状部材４は、点検口１６の鉛直下方の槽底近傍箇所、即ち、槽底の底板１１から少し浮かせた位置に設けてもよい。
【００２６】
取水管３の下端３ａを容器状部材４に挿入するとは、取水管３の下端開口が容器状部材４の側壁の上端よりも低い位置となるように、取水管３の下端３ａを上方から容器状部材４の内部に挿入することをいい、このように取水管３の下端３ａを容器状部材４に挿入すると、容器状部材４が上記のように雨水貯留槽１の底板１１の上面に非固定状態で載置されていても、取水管３の下端３ａによって容器状部材４の水平方向の移動が規制されることになるので、容器状部材４を固定する必要はなくなる。
容器状部材４に挿入された取水管３の下端開口は、容器状部材４内の底面付近に位置していてもよいが、図２，図３に示すように容器状部材４内の上部に位置している方が好ましく、このように取水管３の下端開口が容器状部材４内の上部に位置していると、容器状部材４内の底部に堆積した微細な異物を吸い込み難くなるので、よりきれいな雨水を取水できる。
【００２７】
この容器状部材４の上端部（立管４ｂの上端部）には、通水性を有し且つ雨水貯留槽１内の雨水に混入する異物を通過させない異物除去部材として、異物の通過を阻止する細かい網目を備えた合成樹脂製の網筒体５が接続されている。この網筒体５は、図２〜図４に示すように、下端に接続用のソケット部５ａが一体に形成されたものであって、このソケット部５ａを容器状部材４の立管４ｂの上端部に外嵌合すると共に、その周囲からバンド５ｂで締め付けることによって、容器状部材４の立管４ｂに接続固定されている。
【００２８】
この実施形態の網筒体５は接着性に乏しいポリエチレン樹脂で成形されたものであるため、バンド５ｂで締め付けて立管４ｂに脱着可能に接続固定しているが、網筒体５が接着性の良好な合成樹脂で成形されたものである場合は、接着剤で網筒体５と立管４ｂを分離不能に接着してもよい。もっとも、脱着可能に接続固定しておく方が、後述するように取水管３ごと容器状部材４と網筒体５を点検口１６から取り出したときに、容器状部材４と網筒体５を分離して容器状部材４の内部を容易にメンテナンスできるので好ましい。
なお、この実施形態では、図４示すようなボルト・ナットで締め付ける開環状のバンド５ｂを使用しているが、これ以外の公知の合成樹脂製の結束バンドなど、種々の締め付け手段を採用できることは言うまでもない。
【００２９】
上記のように、この実施形態では、容器状部材４の立管４ｂの上部に異物除去部材として網筒体５を設けているが、容器状部材４の立管４ｂを上方に延長し、その延長部分の管壁に異物の侵入を通過させない小さな貫通孔やスリットを多数形成することによって、この延長部分を異物除去部材としてもよい。
【００３０】
上記の網筒体５は、図１に示すように、上端が雨水貯留槽１のオーバーフローラインＯＦＬよりも上に位置している。このように網筒体５の上端をオーバーフローラインＯＦＬより高くしたのは、網筒体５の上端開口が開放されている場合でも、雨水貯留槽１内の雨水に混入している異物が網筒体５の上端開口から網筒体５の内部に流入、沈下して容器状部材４の底部に堆積し、取水管３の下端開口から吸い上げられることを防止するためである。
オーバーフローラインＯＦＬの高さは、図１に示すようにオーバーフロー管１７が雨水貯留槽１の側面に設けられている場合には、オーバーフロー管１７の管底の高さに等しくなるが、網筒体５の上端開口からの異物の侵入をより確実に防止するためには、網筒体５の上端をオーバーフロー管の管頂の高さ以上に位置させればよい。
【００３１】
なお、流入口１５の側面上部に流入管１５ｂが接続され、点検口１６の側面下部にオーバーフロー管１７が接続されている場合は、網筒体５の上端を点検口１６内のオーバーフローライン（オーバーフロー管１７の管底と同じ高さ）よりも上に位置させるか、或いは、オーバーフロー管１７の管頂の高さ以上に位置させればよい。従って、この場合は、網筒体５の上端が雨水貯留槽１の天面より上方に突き出すことになる。
【００３２】
この実施形態では、上記のように網筒体５を容器状部材４の立管４ｂの上部に設けることによって、取水側で異物をフィルタリングしているが、流入口１５の内部に異物除去部材を設けることによって、流入側で異物をフィルタリングすることも可能である。流入側でフィルタリングする場合は、雨水貯留槽１の底面全体に異物が沈殿しないという利点があるが、流入時の異物が異物除去部材に堆積して目詰まりすると、雨水が流入管１５ｂを逆流する虞れがある。これに対し、この実施形態のように取水側でフィルタリングする場合は、殆どの異物が広い雨水貯留槽１の底面に堆積し、取水側の網筒体２の方にはあまり流れてこないので、網筒体２が目詰まりすることはなく、メンテナンスの頻度が下がるという利点がある。
また、流入側で粗くフィルタリングし、取水側で細かくフィルタリングする場合は、流入側の異物除去部材の目詰まりを防ぎ、取水する雨水がよりきれいなものになるという利点がある。
【００３３】
また、雨水貯留槽１の底面に堆積する異物を除去し易いように、雨水貯留槽１の底面に勾配を付けて異物を底面の最深部に集めたり、雨水貯留槽１の底面に仕切りを立設して仕切りの内側（流入側）に異物を集め、仕切りからオーバーフローした雨水が雨水貯留槽全体にいきわたるようにしてもよい。なお、異物を集める箇所は、取水管３の下端開口から離れた箇所とすることが好ましい。
【００３４】
図１〜図５に示すように、網筒体５の上端部には、通水性を有しない合成樹脂製のキャップ部材６（好ましくは塩化ビニル樹脂製のＶＵキャップ）が被着されており、このキャップ部材６の天面には、上下に分断され且つバルブソケット７Ａと水栓ソケット７Ｂで接続された取水管３の当該接続部分を挿通する貫通孔６ａが形成されている。そして、キャップ部材６は、その天面が上記ソケット７Ａ，７Ｂにより上下から挟持された状態で、取水管３の接続部分に一体的に取付け固定されている。
【００３５】
更に詳しく説明すると、図４，図５に示すように、分断された下側の取水管３の上端をバルブソケット７Ａのソケット部７ｆに差し込むと共に、上側の取水管３の下端を水栓ソケット７Ｂのソケット部７ｇに差込み、バルブソケット７Ａの雄ネジ筒部７ｃをキャップ部材６の貫通孔６ａに下方から挿通した状態で、上側の取水管３を回しながら水栓ソケット７Ｂの雌ネジ筒部７ｄをバルブソケット７Ａの雄ネジ筒部７ｃに螺合させ、下側の取水管３と上側の取水管３を接続すると同時に、バルブソケット７Ａの鍔部７ｅと水栓ソケット７Ｂの雌ネジ筒部７ｄの先端（下端）とでキャップ部材６の貫通孔６ａの周縁部を上下から挟持固定させることにより、キャップ部材６を取水管３の接続部分に一体的に取付け固定している。
このとき、バルブソケット７Ａと水栓ソケット７Ｂを上下逆に配置してキャップ部材６を挟持、固定してもよいことは言うまでもない。
【００３６】
容器状部材４は、その上部に設けた網筒体５の上端のキャップ部材６を、上記のように取水管３の接続部分に一体的に取付け固定することによって、取水管３に間接的に取付けられており、取水管３の接続部分のバルブソケット７Ａと水栓ソケット７Ｂの螺合を解除すると、下側の取水管３と一緒に容器状部材４、網筒体５、キャップ状部材６を一斉に引き上げて取り出すことができるので、メンテナンスが容易である。また、上記のように容器状部材４が取水管３に取付けられていると、容器状部材４を雨水貯留槽１の内部の適所に別途取付ける必要がなくなり、キャップ部材６の取水管３への固定作業も簡単であるので、施工が容易である。
このように容器状部材４、網筒体５、キャップ部材６が取付けられた取水管３は、点検口１６の下方に位置する貯留槽用充填部材１０を高さ方向に一列に除去して形成された空洞の内部に配管することが好ましいが、点検口１６の下方に位置する貯留槽用充填部材１０の水平盤１０ａの穴に挿通して配管してもよい。
【００３７】
この実施形態では、容器状部材４が槽底の底板１１の上面に載置されているので、キャップ部材６と網筒体５は接着固定されていなくても、網筒体５がキャップ部材６から外れることはない。従って、キャップ部材６と網筒体５は接着固定しなくてもよいが、容器状部材４を槽底の底板１１から浮かせて設置する場合は、キャップ部材６から網筒体５が外れないように両者を接着固定するのがよい。
なお、容器状部材４の立管４ｂの上部に網筒体５が設けられていない場合は、通水性を有するキャップ部材を立管４ｂの上端に被着、固定し、このキャップ部材を上記と同様に取水管３の接続部分に取付け固定することによって、容器状部材４を取水管３に取付ければよい。また、取水管３が挿通される貫通孔を備えたキャップ部材の天面に上向きのソケット部を形成し、このソケット部に取水管を挿入・固定（接着）することでキャップ部材を取り付けてもよい。
【００３８】
図１，図６に示すように、取水管３は点検口１６の内部でチーズ継手３ｂを介して側方（水平方向）に屈曲し、点検口１６の側面を貫通している。そして、この取水管３の途中の屈曲部分に設けられたチーズ継手３ｂには、取水管３に水を注水するための注水口３ｃが点検口１６の上端開口に対向して形成されている。
即ち、この注水口３ｃは、図６に示すように、チーズ継手３ｂの上向きの接続口に短管３ｄを差込み接続すると共に、この短管３ｄの上端部を水栓ソケット７Ｂのソケット部７ｇに差込み接続することによって、注水口３ｃの上端開口（つまり水栓ソケット７Ｂの雌ネジ筒部７ｄの上端開口）が点検口１６の上端開口と対向するように形成されている。そして、水栓ソケット７Ｂの雌ネジ筒部７ｄに栓部材３ｅの雄ネジ部３ｆを螺合することによって、注水口３ｃが開閉自在に閉塞されている。従って、点検口１６の蓋１６ａを開けると、栓部材３ｅを脱着して注水口３ｃの開閉を容易に行えるようになっている。
【００３９】
上記の注水口３ｃは、取水管３や容器状部材４をメンテナンスする際に、栓部材３ｅを抜いて水を取水管３に注水（必要に応じて勢い良く注水）することにより、取水管３の内部や容器状部材４の内部の異物を除去して詰まりを防止するためのものであり、また、初期のポンプ２の立上げ（動作確認）の際に、必要な量の水を容器状部材４に供給するためのものである。
前述のように、取水管３の下端開口を容器状部材４内の上部に位置させると、容器状部材４内に貯留した水のうち、取水管３の下端開口より下側の水は取水管３によって吸い上げられないで残留するため、容器状部材４内に満たした水だけでは初期のポンプ２の立上げに不足する場合があるが、その場合には、ポンプ２の立上げ動作と注水口３ｃからの注水を同時に行うことで、ポンプ２の立上げに必要な水量を確保することができる。
【００４０】
なお、注水口３ｃの開閉構造は、上記の水栓ソケット７Ｂの雌ネジ筒部７ｄと栓部材３ｅの雄ネジ部３ｆとの螺合構造に限定されるものではなく、例えば、開閉弁構造やキャップ被着構造など、種々の開閉構造を採用することができる。
また、チーズ継手３ｂの上向きの接続口そのものを注水口とし、この接続口に適合する栓部材を脱着自在に詰めるようにしてもよい。その場合、取水管３を点検口１６を貫いて地上まで真っ直ぐに延設すると共に、チーズ継手３ｂを介して取水管３を水平方向に屈曲させて配管し、この地上のチーズ継手３ｂの上向きの接続口を注水口としてもよい。
また、取水管３の途中に孔を直接あけて栓をすることで注水口としてもよい。
更に、注水口には、必要に応じて地上設置型の雨水タンクを接続してもよい。
【００４１】
この実施形態では、取水管３の途中に注水口３ｃを設けているが、注水口は取水管３とは別に設けてもよい。例えば、取水管３と異なる注水管を用いて、該注水管の下端を容器状部材４の内部に挿入すると共に、該注水管の上端を点検口１６の内部上方に位置させ、該注水管の上端開口を注水口として適当な栓部材を脱着自在に装着してもよい。このようにしても、注水管の上端の注水口から水を注入することで容器状部材４の内部の洗浄が可能となり、また、初期のポンプ２の立上げに必要な水量の水を容器状部材４に供給してポンプ２の立上げ（動作確認）を容易かつ経済的に行うことができる。なお、取水管３と異なる注水管を設けない場合は、ホース等を用いて直接容器状部材４内に注水してもよいし、あらかじめ容器状部材４内に水を満たした状態で施工してもよい。
【００４２】
また、チーズ継手３ｂと、キャップ部材６を固定する水栓ソケット７Ｂとの間において、取水管３の一部にユニオン継手を設け、このユニオン継手のところで取水管３を分離することにより、ユニオン継手から下方の取水管３、キャップ部材６、網筒体５、容器状部材４を点検口１６から一斉に引き上げられるようにすると、これら各部材のメンテナンス性が向上するので好ましい。ユニオン継手は、互いに接続する一方の取水管３の管端にユニオンネジを設けると共に、他方の取水管３の管端にユニオン鍔を取付け、両者にまたがって嵌めたユニオンナットを回すことで双方の取水管３の接続や分離を行える継手であるが、このユニオン継手に代えて、前記のバルブソケット７Ａと水栓ソケット７Ｂの組み合わせや、カプラーのようなワンタッチ式のジョイントなど、取水管３の接続、分離を自在に行える種々の手段を採用してもよい。
【００４３】
以上のような雨水貯留槽の取水構造では、雨水貯留槽１内に雨水が貯留された状態でポンプ２を駆動すると、雨水貯留槽１内の雨水が網筒体５の周側面を通過して網筒体５の内部を容器状部材４まで流下し、取水管３の下端開口から吸い上げられて外部に取水される。その場合、雨水に混入している異物は網筒体５の周側面を通過する際に除去されて、雨水貯留槽１の底面に堆積するが、取水管３の下端３ａが挿入されている容器状部材４は、通水性を有しない側壁及び底壁（立管４ｂ及びキャップ４ａ）によって周囲とは区画された空間を形成しているため、異物は容器状部材４の周囲の槽底面に堆積することになり、容器状部材４の内部に侵入することはない。しかも、網筒体５の上端開口は雨水貯留槽１のオーバーフローラインＯＦＬよりも上に位置しているので、網筒体５の上端開口を閉塞するキャップ部材６がなくても、雨水に混入している異物が網筒体５の上端開口から容器状部材４の内部に侵入することはない。このように異物は容器状部材４の内部に侵入、堆積しないので、取水管３の下端開口から雨水と共に異物を吸い上げることが防止され、取水管３やポンプ２のメンテナンスを行う必要性が大幅に減少する。
【００４４】
また、この雨水貯留槽の取水構造では、容器状部材４の上部に取付けた網筒体５の上部開口に、取水管３（取水管の接続部分）を挿通する貫通孔６ａを形成したキャップ部材６を取付け、取水管３の接続部分のバルブソケット７Ａと水栓ソケット７Ｂでキャップ部材６を挟持固定して取水管３と一体化させることで、容器状部材４を取水管３に取付けているので、容器状部材４の取付け作業が容易であり、容器状部材４を雨水貯留槽１の内部の適所に別途取付ける必要もないので施工性が向上する。
【００４５】
また、この雨水貯留槽の取水構造では、取水管３の途中（チーズ継手３ｂを介して水平方向に屈曲する箇所）に設けられた注水口３ｃから水を取水管３に通水して取水管３や容器状部材４の内部の清掃を行えるので、取水管３や容器状部材４のメンテナンス性が向上する。そして、雨水貯留槽１の施工時に、この注水口３ｃから初期のポンプ２の立上げに必要な量の水を容器状部材４に供給すれば、初期のポンプ２の立上げ（動作確認）を容易かつ経済的に行うこともできる。さらに、この注水口３ｃは点検口１６の内部に位置して点検口１６の上端開口に対向しているので、点検口１６の蓋１６ａを開けて注水口３ｃから容易に注水することができ、注水作業性が向上する。
【００４６】
前記実施形態の雨水貯留槽の取水構造では、雨水貯留槽１を構成する部材とは別に容器状部材４を設けて取水管３に取付けているが、容器状部材は雨水貯留槽１を構成する部材と一体に形成されたものでもよい。ここで、一体に形成するとは、雨水貯留槽１の構成部材と容器状部材を合成樹脂等で一体成形する場合と、雨水貯留槽１の構成部材に容器状部材を一体に結合する場合の双方を含んだ概念である。
【００４７】
図７〜図１１は、そのような雨水貯留槽を構成する部材と一体に形成された容器状部材の異なる例を示す斜視図である。
図７に示す容器状部材４１は、雨水貯留槽１の底面を構成する最下部の合成樹脂製の底板１１（図１を参照）の上面に、合成樹脂製の筒体４１ａを一体成形するか、又は、合成樹脂製の筒体４１ａを接着剤で一体に結合したり、連結して一体化したものであって、筒体４１ａを容器状部材４１の側壁とし、筒体４１ａが設けられた底板１１の一部を容器状部材４１の底壁としたものである。底板１１には孔や通水部が多数形成されているので、少なくとも容器状部材４１を設けた底板１１の一部は、孔や通水部が存在しない非通水板とするか、又は、遮水シート等で孔や通水部を被覆して非通水性とする必要がある。
このように容器状部材４１が、雨水貯留槽１を構成する最下部の底板１１の一部に一体成形されたものであると、雨水貯留槽１の底面から容器状部材４１の上端開口までの高さが小さくなるので、この容器状部材４１の内部に下端が挿入された取水管３を通じて雨水貯留槽１内の雨水を取水する際、取水されずに雨水貯留槽１内に残留する雨水の量が少なくなり、取水効率が向上する。
【００４８】
図８に示す容器状部材４２は、雨水貯留槽１の底面を構成する最下部の合成樹脂製の底板１１（図１を参照）の四辺から方形枠状の側板４２ａを一体成形するか、又は、方形枠状の側板４２ａを接着剤で底板１１の四辺に一体に結合したり連結して一体化したものであって、方形枠状の側板４２ａを容器状部材４２の側壁とし、底板１１を容器状部材４２の底壁としたものである。なお、図８の底板１１は、孔や通水部を残した状態で表されているが、これらの孔や通水部は埋められて非通水性の平板状の底板とされるか、又は、遮水シートで底板１１の全面が覆われて非通水性とされることは言うまでもない。
このような容器状部材４２は、底壁の面積が大きいので、側壁（側板４２ａ）の高さを小さくしても、初期のポンプ２の立上げ（動作確認）に必要な量の水を貯留できる。そのため、側壁の高さを小さくした分だけ、雨水貯留槽１の底部に残留する雨水の量が減少するので、取水効率が一層向上する。
【００４９】
図９に示す容器状部材４３は、雨水貯留槽１を構成する前述の貯留槽用充填部材１０の複数本の脚１０ｂ（上端が開口し底面に孔がある中空の脚）のうちの一本について、その底面の孔を閉塞することにより容器状部材として兼用したものである。このように脚１０ｂを容器状部材４３として兼用する貯留槽用充填部材１０は、雨水貯留槽１内の最下段に配置されたものであることが好ましい。最下段の貯留槽用充填部材１０の脚１０ｂを容器状部材４３として兼用すると、取水されない残留雨水の水面が脚１０ｂの上端開口と同一の高さとなり、残留雨水の量を少なくできる。
この最下段の貯留槽用充填部材１０の容器状部材４３（脚１０ｂ）に取水管３の下端３ａを挿入するためには、この貯留槽用充填部材１０の上に積み重ねる貯留槽用充填部材の脚の底部に取水管挿通用の貫通孔を形成し、取水管３を最上段の貯留槽用充填部材の脚から最下段の上記貯留槽用充填部材１０の容器状部材４３（脚１０ａ）まで挿通できるようにする必要がある。
【００５０】
図１０に示す容器状部材４４は、籠状の貯留槽用充填部材１８の側壁及び底壁の通水開口部を塞いだものである。このように容器状部材４４とする籠状の貯留槽用充填部材１８は、雨水貯留槽１内の最下段に配置されるものであることが好ましい。その理由は、上記と同様に取水されない残留雨水の量を少なくするためである。容器状部材４４となる最下段の貯留槽用充填部材１８の内部には、その上に積み重ねられた籠状の貯留槽用充填部材の通水開口部を貫通させた取水管３の下端が挿入される。
また、最初から側壁及び底壁に通水開口部のない箱状の貯留槽用充填部材を製作して容器状部材４４としてもよいし、上記籠状の貯留槽用充填部材１８の内面又は外面を遮水シートで覆って容器状部材４４としてもよいし、上記籠状の貯留槽用充填部材１８の内側に非透水性の側壁と底壁からなる容器状部材を一体成形してもよい。
【００５１】
図１１に示す容器状部材４５は、凸条１１ａと凹条１１ｂを交互に形成した貯留槽用充填部材１９の一つの凹条１１ｂの両端を閉塞片１１ｃ，１１ｃで閉塞することによって、貯留槽用充填材１９と一体的に形成されたものである。この貯留槽用充填部材１９は、雨水貯留槽内において９０°水平回転させながら積み重ねるもので、容器状部材４５が一体的に形成される貯留槽用充填部材１９は、残留雨水の量を少なくするため、雨水貯留槽１内の最下段に配置されるものであることが好ましい。最下段の貯留槽用充填部材１９に一体的に形成された容器状部材４５に取水管３の下端３ａを挿入するためには、この最下段の貯留槽用充填部材１９の上に積み重ねられる貯留槽用充填部材に取水管３を挿通するための孔を形成する必要があることは言うまでもない。
【００５２】
図７〜図１１に示すように容器状部材を雨水貯留槽１の構成部材と一体に形成したものは、別途製作した容器状部材を雨水貯留槽１の適所に取付け固定することが不要となるので、施工性が向上する。
なお、図９〜図１１の容器状部材４３、４４、４５については、雨水貯留槽１内の底にたまった異物を吸い込まないようにするために、最下段よりも上の貯留槽用充填部材１０、１８、１９と一体に形成することも可能である。また、図９、図１０の容器状部材４１、４２については、筒体４１ａや方形枠状の側板４２ａの高さを高くして異物の流入を抑制することも可能である。
【符号の説明】
【００５３】
１    雨水貯留槽
２    ポンプ
３    取水管
３ａ  取水管の下端（一端）
３ｃ  注水口
４，４１，４２，４３，４４，４５  容器状部材
５    網筒体（異物除去部材）
６    キャップ部材
６ａ  貫通孔
７Ａ  バルブソケット
７Ｂ  水栓ソケット
１０，１８，１９  貯留槽用充填部材
１５  流入口
１６  点検口
１７  オーバーフロー管
ＯＦＬ  オーバーフローライン
【図１】
0006579574.tif 000002
【図２】
0006579574.tif 000003
【図３】
0006579574.tif 000004
【図４】
0006579574.tif 000005
【図５】
0006579574.tif 000006
【図６】
0006579574.tif 000007
【図７】
0006579574.tif 000008
【図８】
0006579574.tif 000009
【図９】
0006579574.tif 000010
【図１０】
0006579574.tif 000011
【図１１】
0006579574.tif 000012